(57)【特許請求の範囲】
【請求項１】
受話口、拡声器および電鈴の機能を提供するオーディオ変換器（５）を含む移動無線端末であって、オーディオ変換器の出口（６）は端末（１）の前面（３）に向かって配置され、端末（１）は、変換器に結合された、変換器が前面（３）に対してほぼ垂直な方向（Ｄ）に送る音波のレベルを調節する調節手段（７、９、１０、１１、１２；Ｒ１、９’；１３、２０、２１；２２、２３、２４、２５）をさらに含み、
調節手段が、
端末のマイクロフォンが拾うバックグラウンドノイズの減衰を測定する手段（７、９）、および
測定手段（７、９）によって測定された減衰に基づいて、変換器が生成する音波のレベルを調節する手段（１１、１２）を含む
ことを特徴とする移動無線端末。
【請求項２】
受話口、拡声器および電鈴の機能を提供するオーディオ変換器（５）を含む移動無線端末であって、前記オーディオ変換器の出口（６）は端末（１）の前面（３）に向かって配置され、該端末（１）は、変換器に結合された、変換器が前面（３）に対してほぼ垂直な方向（Ｄ）に送る音波のレベルを調節する調節手段（７、９、１０、１１、１２；Ｒ１、９’；１３、２０、２１；２２、２３、２４、２５）をさらに含み、
調節手段が、
変換器のインピーダンスを測定する手段（Ｒ１、９’）、および
前記測定手段（Ｒ１、９’）によって測定されたインピーダンスに基づいて、変換器が生成する音波のレベルを調節する手段（１１、１２）を含む
ことを特徴とする移動無線端末。
【請求項３】
受話口、拡声器および電鈴の機能を提供するオーディオ変換器（５）を含む移動無線端末であって、前記オーディオ変換器の出口（６）は端末（１）の前面（３）に向かって配置され、該変換器は、前面（３）に対してほぼ垂直な方向（Ｄ）に音波を送るように構成され、前記移動無線端末は、
前記方向（Ｄ）とは異なる２次方向（Ｄ’）の音波の少なくとも一部のための偏向チャネル（２０）を含む音波の案内部材（１３）を備える
ことを特徴とする移動無線端末。
【請求項４】
調節手段が、
変換器がその中に取り付けられ、端末（１）の前面（３）に結合されるフラップ（２２）であって、前面（３）に該フラップが載っている活動位置と前面（３）に該フラップが載っていない非活動位置との間で移動可能なフラップ（２２）と、
前記フラップの非活動位置から活動位置への移行、およびその逆の移行を検出する手段（２４）と、
フラップ（２２）の位置に従って、変換器からの音波のレベルを調節する信号を生成する手段（２５）と
を含むことを特徴とする請求の範囲第１項から第３項のいずれか一項に記載の移動無線端末。
【請求項５】
調節手段が、そのレベルが変換器の遮蔽程度によって決まるレベルまで徐々に増加する呼出しバーストを送る手段をさらに含むことを特徴とする請求の範囲第１項から第４項のいずれか一項に記載の移動無線端末。
【請求項６】
前記案内部材は、少なくとも１つの案内ホール（２１）が形成された案内壁（１４、１５）をさらに備え、案内部材（１３）は端末の前面（３）に堅固に結合され、案内ホール（２１）は変換器の出口（６）と向き合って前記方向（Ｄ）に送られる音波のレベルを制限し、案内壁（１５）と端末（１）の前面（３）とが前記偏向チャネルを形成することを特徴とする請求の範囲第３項に記載の移動無線端末。
【発明の詳細な説明】
本発明は移動無線端末に関する。
より厳密に言うと、「移動無線端末」という表現は、コードレス電話端末またはＧＳＭ移動端末を意味するが、この定義は本発明を限定するものではない。
より詳細には、本発明は、受話口（ｅａｒｐｉｅｃｅ）、拡声器（ｌｏｕｄｓｐｅａｋｅｒ）、および電鈴（ｒｉｎｇｅｒ）の３つの機能を全て提供し、かつユーザを保護するために課された安全規則の順守を保証する移動無線端末に適用される。
安全規則は、具体的には、電鈴機能をもたらす手段の近くにユーザの耳があるときに、呼出し（ｒｉｎｇｉｎｇ）信号のレベルが、所定のしきい値を超えてはならないと指定するものである（音響ショック（ａｃｏｕｓｔｉｃ  ｓｈｏｃｋ））。逆説的に、端末がユーザの耳の近くにないときには、呼出しレベルを増幅し、ユーザに呼出し信号が聞こえるようにしなければならない。端末を拡声器モードで使用するときには、音声信号について同じことが言える。
この目的のために、ＧＳＭ移動無線端末は、通常は、受話口および拡声器の機能を提供するためにオーディオ変換器を組み込み、電鈴機能を提供するために変換器とは別個の電鈴または振動子などの構成要素を組み込む。音響ショックを防止するために、電鈴または振動子は変換器から離れて位置する。しかし、それが存在することで、端末全体のサイズはかなり大きくなり、無視できない端末の単価の上昇を招く。
また、これは拡声器の問題を解決しない。
米国特許第４５０４７０１号に、受信機に接続された音声信号および呼出し信号を送る呼出し信号プロセッサ回路およびオーディオ増幅器を含む、コードレス電話端末が記載されている。ユーザを音響ショックから保護するために、この端末は、呼出し信号プロセッサ回路と増幅器との間に、減衰抵抗器と並列に接続された重力スイッチをさらに含む。端末がベース上にあるとき、またはベース上にはないがほぼ水平な姿勢であるときには、重力スイッチは所定位置にあり、呼出し信号は増幅器に伝送され、したがって変更されずに受信機に伝送される。端末がベースから取り外され、ほぼ垂直な姿勢であるときには、スイッチは開いた位置にあり、呼出し信号は並列な抵抗器によって音響ショックを防止する所定レベルまで減衰する。減衰した信号は、増幅器を介して変換器に伝送される。
換言すれば、呼出し信号は、端末がそのベース上にある、またはそのベース上にはないが水平な姿勢であるときには変更されず、ユーザの耳の近くにあるときなど、端末がベース上になく、垂直な姿勢であるときには減衰される。
しかし、呼出しレベルは、端末の姿勢にしたがって調節され、これはユーザの位置を見込んでいない。
端末がユーザの耳の近くにある以外の状況、例えばテーブルの上にあるときなどは、この端末は、ベース上になくても垂直な姿勢になることがある。この場合、端末がユーザの近くにないにも関わらず呼出し信号が減衰し、その結果、それが鳴っているのがユーザには聞こえない。
逆に、例えばユーザが横になっている場合などは、端末は水平な姿勢となり、かつユーザの耳の近くにある可能性がある。
同じ理由から、抵抗器と並列な重力スイッチは、バッグやポケットの中などユーザから離れたところでしばしば垂直な姿勢となる移動端末に、効果的に適用することはできない。
また、上記文献に記載の装置は、拡声器の出力信号を調節する手段を提供しない。
最後に、上記装置は、抵抗器やスイッチなど、端末の全体的なサイズおよびコストを増す追加構成要素を必要とする。
したがって、本発明の目的は、上記の欠点を緩和することである。
本発明は、音響ショックを防止するレベルで、呼出し信号または音声信号を発生するコードレスまたは移動電話端末にある。
本発明はまた、小型の低コスト移動無線端末にも関する。
この目的のために、本発明は、受話口および拡声器の機能を提供するオーディオ変換器を含む移動無線端末であって、オーディオ変換器の出口が端末の前面に向かって配置され、オーディオ変換器が電鈴機能をさらに提供すること、および端末は、変換器に結合された、変換器が前面に対してほぼ垂直な主方向に送る音波のレベルを調節する調節手段をさらに含み、調節は、ユーザに対する端末の相対的な位置とは無関係に行われることを特徴とする移動無線端末を提案する。
端末の第１の実施形態では、調節手段は、
変換器の遮蔽程度を表すパラメータを測定する手段、および
この測定手段によって行われた測定が与えられ、変換器が生成しなければならない音波のレベルを決定する手段を含む。
第１の変形形態では、変換器の遮蔽程度を表すパラメータを測定する手段は、端末のマイクロフォンが拾うバックグラウンドノイズの減衰を測定する手段を含む。
第２の変形形態では、変換器の遮蔽程度を表す信号を測定する手段は、変換器のインピーダンスを測定する手段を含む。
端末の第２の実施形態では、調節手段は、少なくとも１つの案内ホールが形成された案内壁を含む音波の案内部材を含み、該案内部材は端末の前面に堅固に結合され、案内ホールは変換器の出口と向き合って主方向に送られる音波のレベルを制限し、案内壁と端末の前面とが、音波の少なくとも一部のための偏向チャネルを、主方向とは異なる２次方向に形成する。
本発明の第３の実施形態では、調節手段は、
変換器がその中に取り付けられ、端末の前面に結合され、前面にそれが載っている活動位置と前面にそれが載っていない非活動位置の間で移動可能なフラップと、
非活動位置から活動位置への移行、およびその逆の移行を検出する手段と、
フラップの位置に従って、変換器からの音波のレベルを調節する信号を生成する手段とを含む。
本発明はまた、前述の移動無線端末に取り付けられた変換器によって生成される音波のレベルを調節する方法であって、この調節が、端末の前面に対してほぼ垂直な主方向に、ユーザに対する端末の相対的な位置とは無関係に行われることを特徴とする方法も提案する。
この方法の第１の実施態様では、調節は、変換器の遮蔽程度に従って行われる。
この目的のために、この方法は、
変換器の遮蔽程度を表すパラメータを測定するステップと、
それに従って変換器が提供しなければならない音波のレベルを調節するステップとを含む。
この方法の第２の実施態様では、調節は、音波の少なくとも一部を、主方向とは異なる２次方向に偏向させることによって行われる。
この方法の第３の実施態様では、調節は、端末の前面にかかる圧力差を検出することによって行われる。
例示のみを目的として添付の図面に関連して与えた以下の本発明の実施形態の説明で、本発明についてさらに詳細に説明する。
第１ａ図および第１ｂ図はともに、第１の実施形態の音波レベルを調節する手段を備えた本発明による端末を示す図である。
第２図は、第１図に示す音波を調節する手段の第１の実施形態の変形形態を示すブロック図である。
第３図は、第２の実施形態の音波レベルを調節する手段を示すブロック図である。
第４図は、第３の実施形態の音波レベルを調節する手段を示すブロック図である。
端末１は、その出口６が端末の前面３に向くように配置された変換器５がその中に取り付けられた、前面３および後面４を有するケーシング２を含む。この端末は、その入口８が同様に端末前面３を向いたマイクロフォン７をさらに含む。
変換器５は、受話口、拡声器、および電鈴の３つの機能を全て提供する。
目的は、ユーザに対する端末の相対的な位置を見込むように、変換器５から送られる音波のレベルを調節することであり、これは、ユーザの耳によって変換器が遮蔽されている場合には、特に困難である。
ここで、「ユーザ」とは、その所有者や第三者、例えば子供など、端末を取りそうな任意の人を指す。
本発明の目的は、端末がある程度離れている場合には、電鈴または拡声器がユーザに十分に聞こえるようにするが、ユーザの耳で変換器が遮蔽されている場合には、音響ショックを引き起こさないように、変換器５の出力レベルを調節することである。
この目的のために、この端末は、変換器から送られる音波のレベルを、ユーザに対する端末の相対的な位置とは無関係に、端末の前面３に対してほぼ垂直な主方向Ｄで調節する手段を含む。
第１ｂ図および第２図に示す本発明の第１の実施形態では、この調節は、変換器５の遮蔽程度を見込んでいる。この目的のために、端末は、遮蔽程度を表すパラメータを測定する手段、およびこの測定手段が行った測定に照らして変換器が提供しなければならない音波のレベルを決定する手段を含む。
第１の実施態様では、測定手段は、その入力９ａが増幅器１０を介して端末のマイクロフォン７に接続された測定回路９を含み、変換器の遮蔽程度を表すパラメータは、マイクロフォン７が拾ったバックグラウンドノイズの減衰である。
測定手段は、測定手段９の出力９ｃに接続された第１の入力１１ａ、および音減衰しきい値Ｓ０を受信する第２の入力１１ｂを有する比較器回路１１をさらに含む。比較器回路１１の出力１１ｃは、調節回路１２を介して変換器５の入力５ａに接続される。
バックグラウンドノイズの減衰の測定値は、ユーザの耳による変換器の遮蔽によって引き起こされる減衰に対応するしきい値Ｓ０と比較される。調節回路１２は、この比較の結果に従って、変換器５が送る音波のレベルを調節する。減衰の測定値がしきい値Ｓ０と等しい場合には、減衰の測定値が再度しきい値Ｓ０と異なるようになるまで、そのレベルは減衰される。
第２の実施態様では、変換器の遮蔽程度を表すパラメータは、変換器のインピーダンスである。
この目的のために、測定手段は、その入力９’ａおよび９’ｂが変換器の内部抵抗Ｒ１の各端子に接続された測定回路９’を含み、この内部抵抗が変換器のインピーダンスを表す。測定回路９’の出力９’ｃは、比較器回路１１の第１の入力１１ａに接続される。
比較器回路１１の第２の入力１１ｂは、変換器がユーザの耳で遮蔽されているときの、変換器のインピーダンスに対応するインピーダンスしきい値Ｓ’０を受信する。
もちろん、本発明は、変換器の上記２つの遮蔽程度を考慮する方法に限定されるわけではない。例えば、変換器のダイアフラムの圧力または速度を測定することもできる。
本発明の別の特徴によれば、調節手段は、そのレベルが変換器の遮蔽程度によって決まるレベルまで徐々に増す呼出しバースト（ｒｉｎｇｉｎｇ  ｂｕｒｓｔ）を送る手段をさらに含む。
したがって、着呼が端末１に到達したときに、そのレベルが最大レベルまで徐々に増す呼出しバーストが送られ、このプロセスの間、音の減衰を測定し、遮蔽された程度が与えられ、変換器が供給しなければならない音波のレベルを決定する。
また、音の減衰は、周期的に測定することができる。
本発明の別の実施形態では、変換器が主方向Ｄに送る音波のレベルは、その音波の少なくとも一部を主方向Ｄとは異なる２次方向Ｄ’に偏向させることによって調節される。
この目的のために、第３図に示すように、調節手段は、一端が互いに堅固に結合され、かつ自由端１６および１７をそれぞれ有する第１の案内壁１４および第２の案内壁１５を含む、音波を案内する部材１３を含む。この案内部材は、第１の案内壁１４が前面３とほぼ平行となり、第２の案内壁１５が前面３に対してほぼ垂直となるように、端末１の前面３に剛性に結合される。例えば、前面３はほぼ垂直なショルダ１８を含み、これに第２の案内壁１５が固定される。したがって案内部材１３および端末の前面３は、第１の案内壁１４の自由端１６と同じ側に開く偏向チャネル２０を有する空洞１９を形成する。
案内ホール２１は、変換器５の出口６と向き合うように第１の案内壁１４に形成される。
案内ホール２１は、主方向Ｄに送られる音波のレベルを制限し、その音波の少なくとも一部は、第１の壁１４とほぼ平行な２次方向Ｄ’にそらされる。
第４図に示す本発明の第３の実施形態では、調節は、端末の前面にかかる圧力差の検出に基づいて行われる。
この目的のために、調節手段は、変換器５がその中に取り付けられ、機械的手段２３によって端末１の前面３に結合され、前面３にそれが載っている活動位置と前面３にそれが載っていない非活動位置との間で移動可能なフラップ２２を含む。機械的手段２３は、フラップに加わる圧力に応じてこれら２つの位置の間でフラップ２２を動かし、ユーザの耳による圧力と物体による圧力を区別する。
調節手段は、非活動位置から活動位置への移行、およびその逆の移行を検出する手段２４をさらに含む。この検出器手段は、例えばフラップ２２と向き合う端末の前面３上に取り付けられ、フラップ２２が端末１の前面３と接触したときに検出信号を生成する接触または圧力検出器にすることができる。
検出器手段の出力は、前述の調節回路１２と同様の調節回路２５に接続され、音波レベルはそれに従って調節される。そのレベルは、フラップ２２が端末１の前面３と接触している限り減衰される。
もちろん、記載した本発明の実施形態を互いに組み合わせて、音響ショックの危険をさらに低下させることができる。
【図１ａ】
0004543135.tif 000002
【図１ｂ】
0004543135.tif 000003
【図２】
0004543135.tif 000004
【図３】
0004543135.tif 000005
【図４】
0004543135.tif 000006